(57)【要約】【課題】主局から無線中継局への呼び出しを容易に認識する。【解決手段】この無線中継の呼出システムでは、主局が、ワンセグ放送の受信機能を有する携帯電話機を呼び出す呼出信号をマイクロ波に多重して、山上中継局に送信する。この山上中継局が、このマイクロ波を受信して、このマイクロ波に多重されている呼出信号をワンセグ放送の呼出信号に変調して、携帯電話機に送信する。【選択図】図１
2010245792.tif 000002
【特許請求の範囲】
【請求項１】
無線中継局側のワンセグメント放送の受信機能を有する端末装置を呼び出す呼出信号をトランスポートストリームに変換するとともに、このトランスポートストリームに識別情報を付加する第１の変換部と、前記変換されたトランスポートストリームをＩＰ信号に変換する第２の変換部と、前記変換されたＩＰ信号を無線信号に変換する第３の変換部と、前記変換された無線信号を送信する送信部と、を備える主局と、
前記無線信号を受信する受信部と、前記識別情報に基づいて前記受信された無線信号を前記呼出信号と識別する識別部と、前記識別された無線信号を前記ＩＰ信号に変換する第４の変換部と、前記変換されたＩＰ信号を前記トランスポートストリームに変換する第５の変換部と、前記変換されたトランスポートストリームをワンセグメント放送用の呼出信号に変調する変調部と、前記変調されたワンセグメント放送用の呼出信号を送信し、前記端末装置を呼び出す呼出部と、を備える無線中継局と、
を具備することを特徴とする無線中継局の呼出装置。
【請求項２】
前記送信された無線信号を前記無線中継局に中継する中継部を備える少なくとも１つの中継局を、
具備することを特徴とする請求項１に記載の無線中継局の呼出装置。
【請求項３】
主局が、無線中継局側のワンセグメント放送の受信機能を有する端末装置を呼び出す呼出信号に識別情報を付加するとともに、この呼出信号をトランスポートストリームに変換するステップと、前記変換されたトランスポートストリームをＩＰ信号に変換するステップと、前記変換されたＩＰ信号を無線信号に変換するステップと、前記変換された無線信号を送信するステップと、を含み、
無線中継局が、前記無線信号を受信するステップと、前記識別情報に基づいて前記受信された無線信号を前記呼出信号と識別するステップと、前記識別された無線信号を前記ＩＰ信号に変換するステップと、前記変換されたＩＰ信号を前記トランスポートストリームに変換するステップと、前記変換されたトランスポートストリームをワンセグメント放送用の呼出信号に変調するステップと、前記変調されたワンセグメント放送用の呼出信号を送信し、前記端末装置を呼び出すステップと、を含むことを特徴とする無線中継局の呼出方法。
【発明の詳細な説明】
【技術分野】
【０００１】
本発明は、たとえば山の上に設置された無線中継局を呼び出す無線中継の呼出システムおよび呼出方法に関する。
【背景技術】
【０００２】
従来、マイクロ無線回線の許可を受けている主局側のユーザは、通常保守などのために遠方の無線中継局に入局した保守員や職員（以下、「保守員など」という）との連絡を、マイクロ多重無線装置、デジタル端局装置等で構成される専用通信網に接続された電話で行っている。
通常このような無線中継局は、主局から遠方の山上にあることが多い。この無線中継局では、たとえば落雷によって発生したサージ電流などにより通信設備が被害を受けることがある。このような被害により発生した通信異常は、専用通信網監視システムで検知され、主局に通知される。このような状況において、保守員などが現地の無線中継局に調査入局したとき、デジタル端局装置や端末装置類の故障により、専用通信網による電話連絡が不可能となる場合がある。このデジタル端局装置や端末装置類は、内部基板などの構造から比較的落雷による被害を受けやすい。
【０００３】
この場合の通信手段としては、たとえば保守員などの所持する携帯電話機を使用して連絡することが考えられる。しかし、無線中継局が山上にあるため、電波の状況によっては電話が通じにくいことがある。また、山上付近では、携帯電話機の通話できるエリアが限られているため、そのエリアから外れた場所では通話できない恐れがある。
また、被害の程度によっては、比較的落雷による被害を受けにくいマイクロ多重無線装置本体は正常である場合が多い。
そこで、このマイクロ多重無線装置の打合せ回線を使用して主局側との通信を行うことが考えられる（たとえば、特許文献１）。
【先行技術文献】
【特許文献】
【０００４】
【特許文献１】特開平８−１５４１３３公報
【発明の概要】
【発明が解決しようとする課題】
【０００５】
しかしながら、上記した先行技術では、マイクロ多重無線装置に通話手段である電話機が直接接続されているため、このマイクロ多重無線装置の前面に保守員などがいないと通話できなかったり、このマイクロ多重無線装置の近辺に保守員などがいないと、主局側からの電話機の呼び出しに気がつかないという問題がある。また、この無線装置近辺に保守員などがいても、打合せ回線のスイッチがオフであったり、呼び出し音の音量設定が小さい場合、呼び出しに気づかないという問題がある。
【０００６】
本発明はこのような課題を解決するためになされたもので、主局側から無線中継局への呼び出しを容易に認識することのできる無線中継の呼出システムおよび呼出方法を提供することを目的とする。
【課題を解決するための手段】
【０００７】
上記の課題を解決するために本発明の無線中継の呼出システムは、無線中継局側のワンセグメント放送の受信機能を有する端末装置を呼び出す呼出信号をトランスポートストリームに変換するとともに、このトランスポートストリームに識別情報を付加する第１の変換部と、前記変換されたトランスポートストリームをＩＰ信号に変換する第２の変換部と、前記変換されたＩＰ信号を無線信号に変換する第３の変換部と、前記変換された無線信号を送信する送信部と、を備える主局と、前記無線信号を受信する受信部と、前記識別情報に基づいて前記受信された無線信号を前記呼出信号と識別する識別部と、前記識別された無線信号を前記ＩＰ信号に変換する第４の変換部と、前記変換されたＩＰ信号を前記トランスポートストリームに変換する第５の変換部と、前記変換されたトランスポートストリームをワンセグメント放送用の呼出信号に変調する変調部と、前記変調されたワンセグメント放送用の呼出信号を送信し、前記端末装置を呼び出す呼出部と、を備える無線中継局と、を具備することを特徴とする。
【０００８】
本発明の無線中継の呼出方法は、主局が、無線中継局側のワンセグメント放送の受信機能を有する端末装置を呼び出す呼出信号をトランスポートストリームに変換するとともに、このトランスポートストリームに識別情報を付加するステップと、前記変換されたトランスポートストリームをＩＰ信号に変換するステップと、前記変換されたＩＰ信号を無線信号に変換するステップと、前記変換された無線信号を送信するステップと、を含み、無線中継局が、前記無線信号を受信するステップと、前記識別情報に基づいて前記受信された無線信号を前記呼出信号と識別するステップと、前記識別された無線信号を前記ＩＰ信号に変換するステップと、前記変換されたＩＰ信号を前記トランスポートストリームに変換するステップと、前記変換されたトランスポートストリームをワンセグメント放送用の呼出信号に変調するステップと、前記変調されたワンセグメント放送用の呼出信号を送信し、前記端末装置を呼び出すステップと、を含むことを特徴とする。
【発明の効果】
【０００９】
本発明によれば、主局側から無線中継局への呼び出しを容易に認識することができる。
【図面の簡単な説明】
【００１０】
【図１】本発明の一実施形態に係る無線通信の呼出システムの概略構成を示すブロック図である。
【図２】図１に示した親局側エリア限定放送装置の構成を示すブロック図である。
【図３】図１に示した子局側エリア限定放送装置の構成を示すブロック図である。
【図４】異常発生時の主局の動作を説明するためのフローチャートである。
【図５】異常発生時の山上中継局の動作を説明するためのフローチャートである。
【発明を実施するための形態】
【００１１】
以下、本発明の実施の形態について図面を参照しながら説明する。図１は本発明の一つの実施の形態に係る無線通信の呼出システム１０の概略構成を示すブロック図である。
【００１２】
図１に示すように、この呼出システム１０は、たとえば都市部に設けられた親局である主局２０、山の上に設けられた子局（無線中継局）である山上中継局３０、この主局２０と山上中継局３０との間の設けられた複数の中継局４０を備える。主局２０と山上中継局３０は、途中に設置された複数の中継局４０によって中継される無線信号を送受信する。
【００１３】
主局２０は、親局側エリア限定放送装置２１、ＩＰ(Internet Protocol)／ＲＳ(Recommended Standard)４２２変換器２２、マイクロ多重無線装置２３、デジタル端局装置２４、専用通信網２５および電話機２６，２７を備える。
【００１４】
図２は、図１に示した親局側エリア限定放送装置２１の構成を示すブロック図である。親局側エリア限定放送装置２１は、入力部２１１、トランスポートストリーム（以下、「ＴＳ」という）フォーマット変換部２１２、ＴＳ／ＩＰ変換部２１３を備える。
入力部２１１は、山上中継局３０の保守員などの所持する携帯電話機５０を呼び出すための呼出信号として音声信号を入力する入力部として機能する。この呼出信号は、音声信号に限らず、映像信号や文字信号（データ）でもよい。また、この呼出信号は、これら音声信号、映像信号、データのうち、複数の信号でもよい。
【００１５】
ＴＳフォーマット変換部２１２は、入力部２１１によって入力された音声信号を固定長のＴＳパケットのフォーマットに変換する。さらに、ＴＳフォーマット変換部２１２は、この変換されたＴＳパケットに呼出信号を示すタグ（識別情報）を付加する。このＴＳフォーマット変換部２１２は、無線中継局側のワンセグメント放送の受信機能を有する端末装置を呼び出す呼出信号をトランスポートストリームに変換するとともに、このトランスポートストリームに識別情報を付加する第１の変換部として機能する。なお、この変換では、覗き見を防止するための暗号化処理を行うことも可能である。
ＴＳ／ＩＰ変換部２１３は、ＴＳフォーマット変換部２１２によって変換されたＴＳパケットを、ＩＰ信号（パケット）に変換する。このＴＳ／ＩＰ変換部２１３では、たとえばインストールされているＲＴＰ(Remote Desktop Protocol)／ＵＤＰ(User Datagram Protocol)／ＩＰプロトコルによってＴＳパケットをＩＰパケットに変換する。このＴＳ／ＩＰ変換部２１３は、前記変換されたトランスポートストリームをＩＰ信号に変換する第２の変換部として機能する。
【００１６】
図１に示したＩＰ／ＲＳ４２２変換器２２は、ＴＳ／ＩＰ変換部２１３によって変換されたＩＰ信号を、ＲＳ４２２のシリアルのデジタル信号に変換する。このＩＰ／ＲＳ４２２変換器２２は、前記変換されたＩＰ信号を無線信号に変換する第３の変換部として機能する。
マイクロ多重無線装置２３は、ＤＳＣ(Digital Service Channel)端子（ＤＳＣ２）に入力されたＩＰ／ＲＳ４２２変換器２２によって変換されたＲＳ４２２のデジタル信号を、マイクロ波に多重して無線送信する。このマイクロ多重無線装置２３は、前記変換された無線信号を送信する送信部として機能する。
【００１７】
デジタル端局装置２４は、マイクロ多重無線装置２３からの音声、映像、データなどのＢＢ（ベースバンド）信号を多重化するデジタルハイアラーキを行う。
専用通信網２５は、マイクロ多重無線装置２３、デジタル端局装置２４と電話機２６等により構成される通信網で、音声、データ、画像、信号の通信を行う。
電話機２７は、マイクロ多重無線装置２３のＤＳＣ端子（ＤＳＣ１）に接続され、打合せ回線を使用して後述する山上中継局３０の電話機３８と無線通話を行う機能を有する。
【００１８】
山上中継局３０は、マイクロ多重無線装置３１、ＲＳ４２２／ＩＰ変換器３２、子局側エリア限定放送装置３３、アンテナ３４、デジタル端局装置３５、専用通信網３６および電話機３７，３８を備える。
【００１９】
マイクロ多重無線装置３１は、マイクロ波に多重されたＲＳ４２２のデジタル信号を無線受信する。さらに、ＤＳＣの機能によりデジタル信号のタグに基づいて、このデジタル信号が呼出信号であることを識別する。そして、マイクロ多重無線装置３１は、この識別したデジタル信号をＲＳ４２２／ＩＰ変換器３２に出力する。このマイクロ多重無線装置３１は、前記無線信号を受信する受信部および前記識別情報に基づいて前記受信された無線信号を前記呼出信号と識別する識別部として機能する。
【００２０】
ＲＳ４２２／ＩＰ変換器３２は、マイクロ多重無線装置３１によって受信されたＲＳ４２２のデジタル信号を、たとえばインストールされているＲＴＰ／ＵＤＰ／ＩＰプロトコルでＩＰ信号に変換する。このＲＳ４２２／ＩＰ変換器３２は、前記識別された無線信号を前記ＩＰ信号に変換する第４の変換部として機能する。
【００２１】
図３は、図１に示した子局側エリア限定放送装置３３の構成を示すブロック図である。子局側エリア限定放送装置３３は、ＩＰ／ＴＳ変換部３３１、ＯＦＤＭ（直交周波数多重分割）変調部３３２を備える。
【００２２】
ＩＰ／ＴＳ変換部３３１は、子局側エリア限定放送装置３３によって変換されたＩＰ信号を、固定長のＴＳパケットのフォーマットに変換する。このＩＰ／ＴＳ変換部３３１は、前記変換されたＩＰ信号を前記トランスポートストリームに変換する第５の変換部として機能する。
ＯＦＤＭ変調部３３２は、ＩＰ／ＴＳ変換部３３１によって変換されたＴＳパケットを、放送周波数帯のワンセグメント（以下、「ワンセグ」という）信号に変換するために変調処理を行う。このＯＦＤＭ変調部３３２は、前記変換されたトランスポートストリームをワンセグメント放送用の呼出信号に変調する変調部として機能する。この変調されたワンセグ信号は、アンテナ３４を介して保守員などの所持する携帯電話機５０へ送信される。この携帯電話機５０は、ワンセグ放送の受信機能を有する端末装置として機能する。
【００２３】
デジタル端局装置３５は、マイクロ多重無線装置３１からの音声、映像、データなどのＢＢ信号を多重化するデジタルハイアラーキを行う。
専用通信網３６は、マイクロ多重無線装置３１、デジタル端局装置３５と電話機３７等により構成される通信網で、音声、データ、映像、信号の通信を行う。
電話機３８は、マイクロ多重無線装置３１のＤＳＣ端子（ＤＳＣ１）に接続され、打合せ回線を使用して主局２０の電話機２７と無線通話を行う機能を有する。
【００２４】
中継局４０は、主局２０と山上中継局３０の間に設置され、送受信装置を有する中継部を備える。この中継部は、受信したマイクロ波の誤り検出や増幅などを行って、マイクロ波を次の中継局４０（または主局２０もしくは山上中継局３０）に中継する機能を有する。
【００２５】
（異常発生時の主局の動作）
図４は、異常発生時の主局２０の動作を説明するためのフローチャートである。主局２０では、異常発生時に遠方の無線中継局に入局した保守員などと連絡をとる場合、親局側エリア限定放送装置２１の入力部２１１が呼び出し用の音声信号を入力する（ステップＳ１０１）。この音声信号は、異常発生時に主局２０側から山上中継局３０側の保守員などに連絡を取りたい場合に、その旨を通知するもので、たとえば「電話して下さい」、「電波の届く所に移動して下さい」などの音声が考えられる。その他、呼び出し用の信号としては、たとえば移動場所などを示す映像信号や連絡先の氏名および電話番号などのデータでもよい。
【００２６】
次いで、ＴＳフォーマット変換部２１２が入力された音声信号をＴＳパケットのフォーマット形式に変換するとともに、このＴＳパケットに呼出信号を示すタグを付加する（ステップＳ１０２）。さらに、ＴＳ／ＩＰ変換部２１３が変換されたＴＳパケットをＩＰ信号に変換して、ＩＰ／ＲＳ４２２変換器２２に出力する（ステップＳ１０３）
【００２７】
ＩＰ／ＲＳ４２２変換器２２は、この入力するＩＰ信号をＲＳ４２２のデジタル信号に変換してマイクロ多重無線装置２３に出力する（ステップＳ１０４）。
マイクロ多重無線装置２３は、このＩＰ／ＲＳ４２２変換器２２によって変換されたＲＳ４２２のデジタル信号を、マイクロ波に多重して無線送信する（ステップＳ１０６）。マイクロ多重無線装置２３から送信されたマイクロ波の無線信号は、複数の中継局４０を介して増幅され、山上中継局３０へ送信される。
【００２８】
（異常発生時の山上中継局の動作）
図５は、異常発生時の山上中継局３０の動作を説明するためのフローチャートである。山上中継局３０では、マイクロ多重無線装置３１が中継局４０から中継されたマイクロ波の無線信号を受信し、付加されたタグに基づいて多重されたＲＳ４２２のデジタル信号が呼出信号と識別する（ステップＳ２０１）。マイクロ多重無線装置３１は、識別したＲＳ４２２のデジタル信号をＲＳ４２２／ＩＰ変換器３２に出力する。
ＲＳ４２２／ＩＰ変換器３２は、マイクロ多重無線装置３１から入力したＲＳ４２２のデジタル信号をＩＰ信号に変換して、子局側エリア限定放送装置３３に出力する（ステップＳ２０２）。
【００２９】
子局側エリア限定放送装置３３では、ＩＰ／ＴＳ変換部３３１がＲＳ４２２／ＩＰ変換器３２から入力したＩＰ信号をＴＳパケットのフォーマット形式に変換する（ステップＳ２０３）。次いで、ＯＦＤＭ変調部３３２がＴＳパケットをワンセグ信号に変調する（ステップＳ２０４）。ＯＦＤＭ変調部３３２は、この変調したワンセグ信号を、携帯電話機５０に送信して（ステップＳ２０５）、保守員などが所持する携帯電話機５０を呼び出す。ワンセグ放送の受信機能を有する携帯電話機５０では、たとえば受信された音声信号によるワンセグ放送が行われて、呼び出しが可能になる。
【００３０】
このように、この実施形態の無線中継の呼出システムによれば、主局が、ワンセグ放送の受信機能を有する携帯電話機を呼び出す呼出信号をマイクロ波に多重して、山上中継局に送信する。この山上中継局が、このマイクロ波を受信して、このマイクロ波に多重されている呼出信号をワンセグ放送の呼出信号に変調して、携帯電話機に送信する。この結果、ワンセグ放送の受信機能を有する携帯電話機が呼び出され、主局から山上中継局への呼び出しを容易に認識することができる。
【００３１】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。たとえば実施形態に示される全構成要素から幾つかの構成要素を削除してもよい。さらに、異なる実施形態にわたる構成要素を適宜組み合わせてもよい。
【符号の説明】
【００３２】
１０…呼出システム、２０…主局、２１…親局側エリア限定放送装置、２２…ＩＰ／ＲＳ４２２変換器、２３，３１…マイクロ多重無線装置、２４，３５…デジタル端局装置、２５，３６…専用通信網、２６，２７，３７，３８…電話機、３０…山上中継局、３２…ＲＳ４２２／ＩＰ変換器、３３…子局側エリア限定放送装置、３４…アンテナ、４０…中継局、５０…携帯電話機、２１１…入力部、２１２…ＴＳフォーマット変換部、２１３…ＴＳ／ＩＰ変換部、３３１…ＩＰ／ＴＳ変換部、３３２…ＯＦＤＭ変調部。
【図１】
2010245792.tif 000003
【図２】
2010245792.tif 000004
【図３】
2010245792.tif 000005
【図４】
2010245792.tif 000006
【図５】
2010245792.tif 000007